(57)【特許請求の範囲】
【請求項１】
絶縁板と、
前記絶縁板に内蔵して設けられた第１の電子部品と、
前記絶縁板にさらに内蔵して設けられた第２の電子部品と、
前記第１の電子部品が有する、電源端子を除く端子のいずれかと前記第２の電子部品が有する、電源端子を除く端子のいずれかとを電気的に接続するように前記絶縁板に設けられた配線部と、
前記第１の電子部品が有する前記電源端子である第１の電源端子に接続されている、前記絶縁板の内部に設けられた第１のランドパターンと、
前記第２の電子部品が有する前記電源端子である第２の電源端子に接続されている、前記絶縁板の内部に設けられた第２のランドパターンと、
前記第１のランドパターンに電気的に接続して設けられた、少なくとも一部が第３のランドパターンとして前記絶縁板の主面上に存在する第１の電源リード部と、
前記第２のランドパターンに電気的に接続して設けられた、少なくとも一部が第４のランドパターンとして前記絶縁板の主面上に存在し、かつ、前記第１の電源リード部とは電気的に分離して存在する第２の電源リード部と、を具備し、
前記第３のランドパターンと前記第４のランドパターンとが、近接して設けられており、
前記第３のランドパターンと前記第４のランドパターンとを電気的に接続する接続部材をさらに具備すること
を特徴とする配線板。
【請求項２】
前記第１の電子部品が有する端子であって前記第１の電源端子以外でかつ前記配線部により前記第２の電子部品に電気的に接続されている端子以外の端子に接続されている、前記絶縁板の内部に設けられた第５のランドパターンと、
前記第５のランドパターンに電気的に接続して設けられた、少なくとも一部が第６のランドパターンとして前記絶縁板の前記主面上に存在する第２の配線部と、をさらに具備し、
前記第６のランドパターンと前記第３のランドパターンとが、近接して設けられていること
を特徴とする請求項１記載の配線板。
【請求項３】
前記第６のランドパターンと前記第３のランドパターンとを電気的に接続する第２の接続部材をさらに具備することを特徴とする請求項２記載の配線板。
【請求項４】
前記配線部に電気的に接続して設けられた、少なくとも一部が前記絶縁板の前記主面上に存在する配線引き出し部をさらに具備することを特徴とする請求項１記載の配線板。
【請求項５】
前記第１の電子部品が有する端子であって前記第１の電源端子以外でかつ前記配線部により前記第２の電子部品に電気的に接続されている端子以外の端子に接続されている、前記絶縁板の内部に設けられた第５のランドパターンと、
前記絶縁板中に内蔵して設けられた電気部品と、
前記電気部品が有する端子に接続されている、前記絶縁板の内部に設けられた第６のランドパターンと、
前記第５のランドパターンと前記第６のランドパターンとを電気的に接続するように前記絶縁板に設けられた第２の配線部と、
前記第２の配線部に電気的に接続して設けられ、かつ、少なくとも一部が前記主面上に存在する配線引き出し部と、
をさらに具備することを特徴とする請求項１記載の配線板。
【請求項６】
前記第１の電子部品が有する端子のそれぞれであって前記第１の電源端子以外の端子それぞれに接続されている、前記絶縁板の内部に設けられた複数の第５のランドパターンと、
前記複数の第５のランドパターンそれぞれに電気的接続して設けられた、おのおのの少なくとも一部が前記主面上に存在する複数の配線引き出し部と、
をさらに具備することを特徴とする請求項１記載の配線板。
【発明の詳細な説明】
【技術分野】
【０００１】
本発明は、絶縁板の主面または内部に配線パターンを有する配線板に係り、特に、主面または内部に実装された電子部品の接続検査の簡明化に好適な配線板に関する。
【背景技術】
【０００２】
近年、絶縁板内部に部品が内蔵されたいわゆる部品内蔵配線板が盛んに研究開発されている。これらの配線板では、製造途上で、部品が備わった状態の配線板として検査を要し、この検査には、部品と配線パターンとの接続における断線や短絡不良の検知が含まれる。
【０００３】
部品と配線パターンとの接続状態を調べる検査は、部品端子が接続、実装されたランドと同じノードであるパターンが、表層パターンとして現れている配線板設計では、その表層パターンを利用して行うことができる。つまり、最終的な形態に仕上がった配線板を対象に接続状態の検査を実施できる。
【０００４】
しかしながら、そのような場合であっても、部品が２端子の例えば抵抗、コンデンサ、インダクタなどの場合に比較すると、端子がそれ以上に相当に多い集積回路素子（ＩＣ）の場合は、その実装における断線や短絡不良の検査は簡単ではない。その理由のひとつは、ＩＣによりまた端子間により、その間の特性は様々であり、抵抗、コンデンサ、インダクタのように単にインピーダンスを測定して実装における断線や短絡不良を検知できるわけではないという事情がある。
【０００５】
なお、部品を備えた配線板の電気的接続状態の検査の方法に言及がある公知文献には、例えば、下記特許文献１ないし３のものがある。これらのいずれも本願で着目するような視点については何らの記載もない。
【特許文献１】特開２００３−１９７８４９号公報
【特許文献２】特開２００５−５６９２号公報
【特許文献３】特開２００６−３４４８４７号公報
【発明の開示】
【発明が解決しようとする課題】
【０００６】
本発明は、絶縁板の主面または内部に配線パターンを有する配線板において、主面または内部に実装された電子部品の接続検査を簡明化することが可能な配線板を提供することを目的とする。
【課題を解決するための手段】
【０００７】
上記の課題を解決するため、本発明の一態様である配線板は、絶縁板と、前記絶縁板に内蔵して設けられた第１の電子部品と、前記絶縁板にさらに内蔵して設けられた第２の電子部品と、前記第１の電子部品が有する、電源端子を除く端子のいずれかと前記第２の電子部品が有する、電源端子を除く端子のいずれかとを電気的に接続するように前記絶縁板に設けられた配線部と、前記第１の電子部品が有する前記電源端子である第１の電源端子に接続されている、前記絶縁板の内部に設けられた第１のランドパターンと、前記第２の電子部品が有する前記電源端子である第２の電源端子に接続されている、前記絶縁板の内部に設けられた第２のランドパターンと、前記第１のランドパターンに電気的に接続して設けられた、少なくとも一部が第３のランドパターンとして前記絶縁板の主面上に存在する第１の電源リード部と、前記第２のランドパターンに電気的に接続して設けられた、少なくとも一部が第４のランドパターンとして前記絶縁板の主面上に存在し、かつ、前記第１の電源リード部とは電気的に分離して存在する第２の電源リード部と、を具備し、前記第３のランドパターンと前記第４のランドパターンとが、近接して設けられており、前記第３のランドパターンと前記第４のランドパターンとを電気的に接続する接続部材をさらに具備することを特徴とする。
【０００８】
すなわち、この配線板に実装された第１、第２の電子部品（例えばＩＣ）の電源端子には、それぞれランドを介して電気的に分離して電源リード部が設けられ、これらの電源リード部それぞれの少なくとも一部が絶縁板の主面上に存在する。このような形態を有することにより、電源端子（それ用のランドパターン）と別の電源端子（それ用のランドパターン）との間の検査、または電源端子（それ用のランドパターン）と一般の入出力端子（それ用のランドパターン）との間の検査が、電子部品個々においてできる。したがって、それぞれの電子部品について断線、短絡不良の検査が可能であり、接続検査を簡明化できる。
【発明の効果】
【００１１】
本発明によれば、絶縁板の主面または内部に配線パターンを有する配線板において、主面または内部に実装された電子部品の接続検査を簡明化することが可能になる。
【発明を実施するための最良の形態】
【００１５】
本発明の実施態様として、前記第１の電子部品が有する端子であって前記第１の電源端子以外でかつ前記配線部により前記第２の電子部品に電気的に接続されている端子以外の端子に接続されている、前記絶縁板の内部に設けられた第５のランドパターンと、前記第５のランドパターンに電気的に接続して設けられた、少なくとも一部が第６のランドパターンとして前記絶縁板の前記主面上に存在する第２の配線部と、をさらに具備し、前記第６のランドパターンと前記第３のランドパターンとが、近接して設けられている、とすることができる。これは、電源リード部とこの電源リード部に接続されるべき配線部とを電気的に分離して設けることで、電気的な検査を簡明なものにし、その後、配線板を使用するときに、これらを電気的により容易に接続することができるように構成した態様である。
【００１６】
ここで、前記第６のランドパターンと前記第３のランドパターンとを電気的に接続する第２の接続部材をさらに具備する、とすることができる。これは、電源リード部とこの電源リード部に接続されるべき配線部とを電気的に接続するため、接続部材を具備する態様である。
【００１７】
また、ここで、前記配線部に電気的に接続して設けられた、少なくとも一部が前記絶縁板の前記主面上に存在する配線引き出し部をさらに具備する、とすることができる。これは、第１の電子部品の端子と第２の電子部品の端子とが配線部で電気的に接続されている配線板設計の場合において、電源端子とそれらの端子との間の接続状態を個々に検査できるようにする態様である。
【００１８】
また、ここで、  前記第１の電子部品が有する端子であって前記第１の電源端子以外でかつ前記配線部により前記第２の電子部品に電気的に接続されている端子以外の端子に接続されている、前記絶縁板の内部に設けられた第５のランドパターンと、前記絶縁板中に内蔵して設けられた電気部品と、前記電気部品が有する端子に接続されている、前記絶縁板の内部に設けられた第６のランドパターンと、前記第５のランドパターンと前記第６のランドパターンとを電気的に接続するように前記絶縁板に設けられた第２の配線部と、前記第２の配線部に電気的に接続して設けられ、かつ、少なくとも一部が前記主面上に存在する配線引き出し部と、をさらに具備する、とすることができる。これは、第１の電子部品の端子と電気部品の端子とが配線部で電気的に接続されている配線板設計の場合において、電子部品と電気部品とが接続されるノードへの電子部品、電気部品の端子の接続状態を個々に検査できるようにする態様である。
【００１９】
また、ここで、前記第１の電子部品が有する端子のそれぞれであって前記第１の電源端子以外の端子それぞれに接続されている、前記絶縁板の内部に設けられた複数の第５のランドパターンと、前記複数の第５のランドパターンそれぞれに電気的接続して設けられた、おのおのの少なくとも一部が前記主面上に存在する複数の配線引き出し部と、をさらに具備する、とすることができる。このような形態にすることで、電子部品の電源端子以外の端子をプルアップ状態またはプルダウン状態にすることが容易に可能である。この状態で電子部品のスタンバイ電流を測定すれば、例えば、内蔵の電子部品が破壊されているかどうかを検査できる。
【００２０】
以上を踏まえ、以下では本発明の実施形態を図面を参照しながら説明する。図１は、本発明の実施形態に係る配線板の構造例を示す断面図である。実施形態である配線板としてその構造は本例に限られるものではないが、ここでは現在利用可能な具体的な構造の例として説明する。図１（ａ）、図１（ｂ）の２例を示し、このうち図１（ａ）は、電子部品が２つ内蔵された配線板、図１（ｂ）は、電子部品と電気部品とが内蔵された配線板である。
【００２１】
まず、図１（ａ）について説明する。この配線板は、絶縁層１１、１２、１３、１４、１５（これらで絶縁板を構成）、配線層（配線パターン）２１、２２、２３、２４、２５、２６（＝合計６層）、層間接続体３１、３２、３４、３５、スルーホール導電体３３、電子部品４１、４２、はんだ５１、５２、はんだレジスト６１、６２を有する。
【００２２】
電子部品４１、４２は、例えばウエハレベル・チップスケールパッケージによる半導体部品（ＩＣ）であり、それぞれ、半導体チップと、該半導体チップ上に形成されたグリッド状配列の端子４１ａ、４２ａとを少なくとも備えている。端子４１ａ、４２ａは、半導体チップがもともと有する端子パッドから再配線層を介して電気的に導通しつつその位置を再配置して設けられた端子である。電子部品４１、４２は、それぞれ、チップ部品と同様の表面実装技術により、内層の配線層２２によるランドパターン２２ａにはんだ５１、５２を介して実装されている。
【００２３】
配線層２１、２６は、配線板としての両主面上の配線層であり、その上に各種の部品（不図示）が実装され得る。このような実装のため配線層２１、２６は部品実装用のランドを含み、このほかに、電子部品４１、４２の接続状態を検査するためのランドパターンも有する。これらのランド部分を除いて配線層２１、２６の両主面上には、保護層として機能するはんだレジスト６１、６２が形成されている（厚さはそれぞれ例えば２０μｍ程度）。ランド部分の表層には、耐腐食性の高いＮｉ／Ａｕのめっき層（不図示）を形成するようにしてもよい。
【００２４】
配線層２２、２３、２４、２５は、それぞれ、内層の配線層であり、順に、配線層２１と配線層２２の間に絶縁層１１が、配線層２２と配線層２３の間に絶縁層１２が、配線層２３と配線層２４との間に絶縁層１３が、配線層２４と配線層２５との間に絶縁層１４が、配線層２５と配線層２６との間に絶縁層１５が、それぞれ位置しこれらの配線層２１〜２６を隔てている。各配線層２１〜２６は、例えばそれぞれ厚さ１８μｍの金属（銅）箔のパターンからなっている。
【００２５】
各絶縁層１１〜１５は、絶縁層１３を除き例えばそれぞれ厚さ１００μｍ、絶縁層１３のみ例えば厚さ３００μｍで、それぞれ例えばガラスエポキシ樹脂からなるリジッドな素材である。特に絶縁層１３は、内蔵された電子部品４１、４２に相当する位置部分が開口部となっており、電子部品４１、４２を埋設するための空間を提供する。絶縁層１２、１４は、内蔵された電子部品４１、４２のための絶縁層１３の上記開口部および絶縁層１３のスルーホール導電体３３内部の空間を埋めるように変形進入しており内部に空隙となる空間は存在しない。
【００２６】
配線層２１と配線層２２とは、それらのパターンの面の間に挟設されかつ絶縁層１１を貫通する層間接続体３１により導通し得る。同様に、配線層２２と配線層２３とは、それらのパターンの面の間に挟設されかつ絶縁層１２を貫通する層間接続体３２により導通し得る。配線層２３と配線層２４とは、絶縁層１３を貫通して設けられたスルーホール導電体３３により導通し得る。配線層２４と配線層２５とは、それらのパターンの面の間に挟設されかつ絶縁層１４を貫通する層間接続体３４により導通し得る。配線層２５と配線層２６とは、それらのパターンの面の間に挟設されかつ絶縁層１５を貫通する層間接続体３５により導通し得る。
【００２７】
層間接続体３１、３２、３４、３５は、それぞれ、導電性組成物のスクリーン印刷により形成される導電性バンプを由来とするものであり、その製造工程に依拠して軸方向（図１（ａ）の図示で上下の積層方向）に径が変化している。その直径は、太い側で例えば２００μｍである。
【００２８】
以上説明した構造により、電子部品４１、４２の各端子４１ａ、４２ａへは（各端子４１ａ、４２ａからは）、配線層２１〜２６による配線パターンや、層間接続体またはスルーホール導電体３１〜３５を介して、必要に応じて任意の別の配線層から（配線層へ）電気的接続が可能である。電子部品４１、４２の端子４１ａ、４２ａ間の電気的接続についても、配線層２１〜２６による配線パターンや、層間接続体またはスルーホール導電体３１〜３５を介して必要に応じてなすことができる。
【００２９】
次に、図１（ｂ）に示す配線板について説明する。同図において、図１（ａ）中に示した構成と同一または同一相当のものには同一符号を付し、その説明は省略する。この配線板は、すでに述べたように、図１（ａ）に示したものと内蔵されている部品に違いがあり、電子部品４２と電気部品４３とを内蔵するものである。
【００３０】
電気部品４３は、表面実装用のチップ部品（例えばチップ抵抗）であり、その平面的な大きさは例えば０．６ｍｍ×０．３ｍｍである。両端に端子４３ａを有し、その下側が内層の配線層２２によるランドパターン２２ａに対向位置している。電気部品４３の端子４３ａとランドパターン２２ａとははんだ５３により電気的・機械的に接続されている。
【００３１】
この配線板では、電子部品４２の端子４２ａと同様に、電気部品４３の端子４３ａへ（端子４３ａから）、配線層２１〜２６による配線パターンや、層間接続体またはスルーホール導電体３１〜３５を介して、必要に応じて任意の別の配線層から（配線層へ）電気的接続が可能である。また、電子部品４２の端子４１ａと電気部品４３の端子４３ａとの間の電気的接続についても、配線層２１〜２６による配線パターンや、層間接続体またはスルーホール導電体３１〜３５を介して必要に応じてなすことができる。
【００３２】
次に、図１（ａ）に示した配線板において、電子部品４１、４２の電気的接続状態の検査簡明化に適応した場合の、配線板中の配線部の構成について図２を参照して説明する。図２は、図１（ａ）に示した配線板における電源リード部、一般配線部、配線引き出し部の接続・配置関係の一例を示す模式図である。図２において、図１（ａ）中に示した構成要素と同一または同一相当のものには同一符号を付してある。
【００３３】
電子部品４１、４２は、図２中に示すように、それぞれ、正側電源端子４１ａ、４２ａ、負側電源端子（例えばグラウンド端子）４１ａ、４２ａ、入力端子４１ａ、４２ａ、出力端子４１ａ、４２ａを有するものとする。入力端子、出力端子は、図示のようなひとつの電子部品あたりそれぞれ１端子でなく複数の場合が一般的であるが、ここでは説明の簡単化のためこのような１入力１出力の端子構成を仮定する。入力端子４１ａ、４２ａには、これに接続して内部回路４１ｂ、４２ｂが設けられ、内部回路４１ｂ、４２ｂに接続して出力端子４１ａ、４２ａが設けられる。入力端子４１ａ、４２ａからの信号が内部回路４１ｂ、４２ｂで処理されてその処理後の信号が出力端子４１ａ、４２ａへ導かれる構成である。
【００３４】
また、電子部品４１、４２の内部には、それらの入力端子または出力端子４１ａ、４２ａと正側電源端子４１ａ、４２ａとの間に保護または寄生のダイオード４１ｃ、４２ｃが備えられている。このダイオード４１ｃ、４２ｃは通常の使用状態において逆バイアスが印加される向きの接続である。さらに、電子部品４１、４２の内部には、それらの入力端子または出力端子４１ａ、４２ａと負側電源端子４１ａ、４２ａとの間にも保護または寄生のダイオード４１ｃ、４２ｃが備えられている。このダイオード４１ｃ、４２ｃも通常の使用状態において逆バイアスが印加される向きの接続である。なお、電子部品４１、４２の内部のこれらのダイオード４１ｃ、４２ｃの存在は、半導体基板上に回路素子が作り込まれた通常のＩＣではごく一般的なものである。
【００３５】
配線部２０は、配線層２１〜２６による配線パターンや、層間接続体またはスルーホール導電体３１〜３５により形成されている。また、配線部２０の所定の位置には検査用ランドパターン２０ａが設けられている。これらの検査用ランドパターン２０ａは、配線板としての主面上に（すなわち、配線層２１または配線層２６による配線パターンの一部として）設けられている。
【００３６】
配線部２０のうち、負側電源端子４１ａ、４２ａに接続されるものは、電子部品４１、４２ごとにそれぞれ電気的に分離して設けられる。電気的に分離されたそれぞれの配線部２０の端部に検査用ランドパターン２０ａが設けられている。これらの検査用ランドパターン２０ａは、検査後に単一のノードとすることを容易に行えるように互いに近接して設けられている。
【００３７】
配線部２０のうち、正側電源端子４１ａ、４２ａに接続されるものも、事情は負側電源端子４１ａ、４２ａに接続されるものと同じである。すなわち、電子部品４１、４２ごとにそれぞれ電気的に分離して設けられ、電気的に分離されたそれぞれの配線部２０の端部に検査用ランドパターン２０ａが設けられている。これらの検査用ランドパターン２０ａは、検査後に単一のノードとすることを容易に行えるように互いに近接して設けられている。
【００３８】
配線部２０のうち、入力端子４１ａ、４２ａに接続されるもの、および出力端子４１ａ、４２ａに接続されるものは、必要に応じて配線板中を巡って形成されている（＝一般配線部）。一般配線部は、電子部品４１の出力端子４１ａから電子部品４２の入力端子４２ａへの配線部を含む。これらの一般配線部は、配線板の主面上に設けられた検査用ランドパターン２０ａへの分岐部がそれぞれあり、これらの分岐部が配線引き出し部である。
【００３９】
図３は、図２に示した模式図を、説明の便宜のため参照符号を付与し直して示す模式図である。以下の説明では、この図３に示す参照符号を用いて説明する。
【００４０】
電源リード部６Ａ、６Ｂ、７Ａ、７Ｂ、一般配線部５Ａ、５Ｂ、５Ｃ、配線引き出し部８Ａ、８Ｂ、８Ｃが図示するように設けられることにより、電子部品４１、４２の各端子２ａ、２ｂ、２ｃ、２ｄ、４ａ、４ｂ、４ｃ、４ｄの接続状態の検査は、以下のように行うことができる。
【００４１】
検査用ランドパターン６ａを電流の入力口とし、検査用ランドパターン５ａを電流の出力口とすることで、電子部品４１の端子２ａ、２ｃの接続状態を検査できる。検査用ランドパターン６ａを電流の入力口とし、検査用ランドパターン５ｂを電流の出力口とすることで、電子部品４１の端子２ａ、２ｄの接続状態を検査できる。また、検査用ランドパターン５ａを電流の入力口とし、検査用ランドパターン７ａを電流の出力口とすることで、端子２ｃ、２ｂの接続状態を検査できる。検査用ランドパターン５ｂを電流の入力口とし、検査用ランドパターン７ａを電流の出力口とすることで、端子２ｄ、２ｂの接続状態を検査できる。以上より、端子２ａ、２ｂ、２ｃ、２ｄのいずれの接続状態が異常なのかも検知できる。なお、電流の入力口、出力口は反対にする場合もあり得る。
【００４２】
電子部品４２についても同様である。すなわち、検査用ランドパターン６ｂを電流の入力口とし、検査用ランドパターン５ｂを電流の出力口とすることで、電子部品４２の端子４ａ、４ｃの接続状態を検査できる。検査用ランドパターン６ｂを電流の入力口とし、検査用ランドパターン５ｃを電流の出力口とすることで、電子部品４２の端子４ａ、４ｄの接続状態を検査できる。検査用ランドパターン５ｂを電流の入力口とし、検査用ランドパターン７ｂを電流の出力口とすることで、端子４ｃ、４ｂの接続状態を検査できる。検査用ランドパターン５ｃを電流の入力口とし、検査用ランドパターン７ｂを電流の出力口とすることで、端子４ｄ、４ｂの接続状態を検査できる。以上より、端子４ａ、４ｂ、４ｃ、４ｄのいずれの接続状態が異常なのかも検知できる。なお、電流の入力口、出力口は反対にする場合もあり得る。
【００４３】
以上のそれぞれの検査では、電流の入出力間でダイオードが１つのみになっていることが重要である。以下、これについて説明する。
【００４４】
図４は、図１、図２、図３中に示した電子部品４１、４２の各端子に内部接続された保護または寄生のダイオードにおける電流電圧の特性を示す図である。ダイオード（図４（ａ））の電流電圧特性は、よく知られているように、順方向の印加電流に対して発生電圧がほぼ０．６ないし０．７Ｖで飽和する特性であり、逆方向の印加電流に対しては大きな電圧降下が発生し電流はほぼ流れない（図４（ｂ））。言い換えると、順方向の印加電圧が０．６ないし０．７Ｖになると急激に電流が増加し、逆方向の印加電圧に対して電流はほぼ流れない（図４（ｂ））。
【００４５】
図５は、図１、図２、図３中に示した電子部品４１、４２の端子に接続不良がある場合の検査用ランドパターン間の特性を示す図である。このような場合は、ダイオードに直列にある程度の大きさの（わずか以上の）抵抗があるのと同等である（図５（ａ））。これにより、電流電圧特性は、図５（ｂ）に示すように変化する。したがって、例えば、印加電流をある程度の大きさで与え発生電圧を検出すれば、断線のような典型的な場合のほかある程度小さな抵抗が発生するような接続不良を検知できる。
【００４６】
図６は、図１、図２、図３中に示した電子部品４１、４２の端子に短絡不良がある場合の検査用ランドパターン間の特性を示す図である。このような場合は、ダイオードに並列にある程度大きな有限値の抵抗があるのと同等である（図６（ａ））。これにより、電流電圧特性は、図６（ｂ）に示すように変化する。したがって、例えば、印加電流を逆方向にある程度の大きさで与え発生電圧を検出すれば短絡不良を検知できる。
【００４７】
以上のような接続不良、短絡不良の検知が可能である点は、検査用ランドパターン間に２つの（２つ以上の）ダイオードが並列に接続されるような場合は事情が異なる。以下説明する。
【００４８】
図７は、電子部品の端子に接続不良がある場合の検査用ランドパターン間の電流電圧特性を示す図（比較例でありダイオードが２つ並列の場合）である。このような場合、典型的には、一方のダイオードに直列にある程度の大きさの（わずか以上の）抵抗があるのと同等である（図７（ａ））。このとき、検査用ランドパターン間の電流電圧特性は、図７（ｂ）に示すように、抵抗がない場合からの変化がない。これは、全体の特性として、接続に不良がない側のダイオードの特性に従うためである。したがって、断線等の接続不良を検知できない。
【００４９】
図８は、電子部品の端子に短絡不良がある場合の検査用ランドパターン間の電流電圧特性を示す図（比較例でありダイオードが２つ並列の場合）である。このような場合、ダイオードに並列にある程度大きな有限値の抵抗があるのと同等である（図８（ａ））。これにより、電流電圧特性は、図８（ｂ）に示すように変化する。しかしながら、この特性は、図６（ｂ）に示すものとほとんど同一であり、どちらのダイオードに関して短絡不良があるのか検知できない。
【００５０】
なお、図７、図８は、検査用ランドパターン間に２つの（２つ以上の）ダイオードが並列に接続される場合の不都合を説明したものであり、もし、検査用ランドパターン間に２つのダイオードが直列に接続されるような場合であれば、検査として利用できる可能性がある。例えば電子部品４１では、検査用ランドパターン６ａを電流の入出力口の一端とし、検査用ランドパターン７ａをその他端とすれば、電子部品４２の接続状態には影響されない、電子部品４１の接続状態の検査として成立している。この検査は両電源端子２ａ、２ｂに関する接続状態の検査になる。
【００５１】
以上のように、本実施形態では、本来は同一のノードであるべき電源リード部６Ａ、６Ｂを、さらに電源リード部７Ａ、７Ｂをそれぞれ電気的に分離して設けていることにより、電子部品４１、４２間が配線部５Ｂにより接続されている場合であっても、電子部品４１、４２の各端子についてそれらの接続状態の検査が可能になっている。すなわち、電子部品４１、４２それぞれについて断線（接続不良）、短絡不良の検査が可能であり、接続検査を簡明化できる。この効果は、電子部品４１、４２が配線板中への内蔵で設けられている場合に限らず、配線板の主面上に実装して設けられている場合も変わらない。
【００５２】
次に、本実施形態のように本来は同一のノードであるべき電源リード部を分離して設けることに対する配線板としての対処について述べる。図９は、図３中に示した検査用ランドパターン６ａ、６ｂ（または同７ａ、７ｂ）に適用可能な電気的接続の態様を示す模式図である。
【００５３】
検査用ランドパターン６ａ、６ｂは配線板の主面上に近接して設けられているので、これらを電気的に同一のノードとするには、図９に示すように、例えばボンディングワイヤ９１によりこれらを接続して実現できる。ほかにも、例えば導電性組成物（熱硬化型導電性樹脂や紫外線硬化型導電性樹脂）をこれらのランドパターン６ａ、６ｂ上に適用することによってもよい。さらには、はんだでブリッジして接続することも可能である。
【００５４】
また、ほかの考え方として、この配線板自体での電気的接続ではなく、この配線板を子基板としてこれをコネクタで受け入れるマザーボード側での電気的接続を用いるようにしてもよい。または、コネクタでの接続を利用して、コネクタとの接続の電極として兼用するように検査用ランドパターンを設けるようにしてもコネクタ上でこれらの電気的接続を実現できる。
【００５５】
次に、図１０は、図１（ａ）に示した配線板における電源リード部、一般配線部、配線引き出し部の接続・配置関係の別の例を示す模式図である。図１０において、すでに説明した構成要素と同一または同一相当のものには同一符号を付し、その説明は省略する。
【００５６】
この実施形態は、電子部品４１の入力端子２ｃがたまたま正側電源端子２ｂの電圧にプルアップされる使われ方になっている場合への対処を示している。すなわち、このようなプルアップのため端子２ｃと端子２ｂとが配線部５ＡＡによりつながっている場合を仮定すると、端子２ｃを電流の入出力口の一端、端子２ｂを電流の入出力口の他端とする接続状態の検査が行えなくなる。
【００５７】
そこで、入力端子２ｃに接続の配線部５ＡＡも電源リード部７Ａ、７Ｂと同様に互いに電気的に分離して設ける。そしてその端部に検査用ランドパターン５ａａを設け、さらにこの検査用ランドパターン５ａａを、電源リード部７Ａ、７Ｂに接続の検査用ランドパターン７ａ、７ｂに近接して設ける。配線部５ＡＡを電気的に独立して設けることで、端子２ｃを電流の入出力口の一端、端子２ｂを電流の入出力口の他端とする接続状態の検査を、検査用ランドパターン５ａａ、同７ａを用いて行うことができる。また、検査後に端子２ｃをプルアップするには、検査用ランドパターン５ａａと同７ａとについて、すでに説明した同７ａと同７ｂとの接続手法を用いることができる。
【００５８】
なお、図１０では、端子２ｃをプルアップする使い方の場合を説明しているが、端子２ｃを負側電源端子の電圧にプルダウンする使い方の場合も考え方は同様である。この場合には、入力端子２ｃに接続の配線部５ＡＡを電源リード部６Ａ、６Ｂと同様に互いに電気的に分離して設ける。そしてその端部に検査用ランドパターン５ａａを設け、さらにこの検査用ランドパターン５ａａを、電源リード部６Ａ、６Ｂに接続の検査用ランドパターン６ａ、６ｂに近接して設ける。
【００５９】
次に、図１１は、図１（ｂ）に示した配線板における電源リード部、一般配線部、配線引き出し部の接続・配置関係の一例を示す模式図である。図１１において、すでに説明した構成要素と同一または同一相当のものには同一符号を付し、その説明は省略する。
【００６０】
この実施形態は、電子部品４２の出力端子４ｄに電気部品４３が接続されるような場合において電子部品４２の各端子での接続状態の検査の簡明化を意図している。特徴として、電子部品４２の出力端子４ｄと電気部品４３とをつなげる配線部５Ｂに分岐を設けて配線引き出し部８Ｂとしその端部に検査用ランドパターン５ｂを設けている。検査用ランドパターン５ｂは配線板の主面上に設けられたパターンである。
【００６１】
このような構成によれば、電子部品４２の端子４ｄについては、検査用ランドパターン６ａと同５ｂ間、さらに同５ｂと同７ａ間の検査により接続状態を検知することができる。また、電気部品４３については、検査用ランドパターン５ｂと電気部品４３の他方の端子につながる配線部との間の検査によりその接続状態を検知することができる。この検査では抵抗値を測定する。なお、電気部品４３がコンデンサであれば容量を測定する。電気部品４３がインダクタであれば、インダクタンスを測定する。
【００６２】
以上のように、この実施形態では、電子部品４２の端子４ｄと電気部品４３の端子とが配線部５Ｂで電気的に接続されている配線板設計の場合において、電子部品４２と電気部品４３とが接続されるノードへの電子部品４２、電気部品４３の端子の接続状態を個々に検査できる。同様の考え方として、部品がネットワーク状に接続された回路となって配線板中に内蔵されている場合には、ネットワークを構成する各ノードについて配線引き出し部およびその端部に検査用ランドパターンを設ければ、これらを利用してネットワークを構成する各部品についてそれらの接続状態の検査を個々に行うことができる。
【００６３】
次に、図１２は、図１（ｂ）に示した配線板における電源リード部、一般配線部、配線引き出し部の接続・配置関係の別の例を示す模式図である。図１２において、すでに説明した構成要素と同一または同一相当のものには同一符号を付し、その説明は省略する。
【００６４】
この実施形態は、電子部品４２についてそのスタンバイ電流を測定することができるようにすることを意図している。スタンバイ電流とは、ＩＣとしての電子部品４２が動作しておらず待機状態にあるときに消費する電流である。この電流が異常に大きい場合には電子部品４２内部で破壊が生じている。これにより電子部品４２の不良を検知できる。
【００６５】
配線板としての特徴として、電子部品４２のすべての入出力端子４ｃ、４ｄにつながる各配線部５Ａ、５Ｂに分岐を設けて配線引き出し部８Ａ、８Ｂとし、その端部に検査用ランドパターン５ａ、５ｂを設けている。検査用ランドパターン５ａ、５ｂは配線板の主面上に設けられたパターンである。このような構成により、電源端子４ａ、４ｂ以外の各端子について、これらをプルアップまたはプルダウン状態して電子部品４２を容易に待機状態にすることを可能としている。なお、配線引き出し部は、端子同士でもともと電気的につながっている設計の場合には、そのノードについてひとつ設ければ足りる。
【図面の簡単な説明】
【００６６】
【図１】本発明の実施形態に係る配線板の構造例を示す断面図。
【図２】図１（ａ）に示した配線板における電源リード部、一般配線部、配線引き出し部の接続・配置関係の一例を示す模式図。
【図３】図２に示した模式図を、説明の便宜のため参照符号を付与し直して示す模式図。
【図４】図１、図２、図３中に示した電子部品４１、４２の各端子に内部接続された保護または寄生のダイオードにおける電流電圧の特性を示す図。
【図５】図１、図２、図３中に示した電子部品４１、４２の端子に接続不良がある場合の検査用ランドパターン間の特性を示す図。
【図６】図１、図２、図３中に示した電子部品４１、４２の端子に短絡不良がある場合の検査用ランドパターン間の特性を示す図。
【図７】電子部品の端子に接続不良がある場合の検査用ランドパターン間の電流電圧特性を示す図（比較例）。
【図８】電子部品の端子に短絡不良がある場合の検査用ランドパターン間の電流電圧特性を示す図（比較例）。
【図９】図３中に示した検査用ランドパターン６ａ、６ｂまたは同７ａ、７ｂに適用可能な電気的接続の態様を示す模式図。
【図１０】図１（ａ）に示した配線板における電源リード部、一般配線部、配線引き出し部の接続・配置関係の別の例を示す模式図。
【図１１】図１（ｂ）に示した配線板における電源リード部、一般配線部、配線引き出し部の接続・配置関係の一例を示す模式図。
【図１２】図１（ｂ）に示した配線板における電源リード部、一般配線部、配線引き出し部の接続・配置関係の別の例を示す模式図。
【符号の説明】
【００６７】
１ａ，１ｂ，１ｃ，１ｄ…電子部品内部の保護または寄生のダイオード、２ａ，２ｂ…電源端子、２ｃ，２ｄ…入出力端子、３ａ，３ｂ，３ｃ，３ｄ…電子部品内部の保護または寄生のダイオード、４ａ，４ｂ…電源端子、４ｃ，４ｄ…入出力端子、５ａ，５ｂ，５ｃ…検査用ランドパターン（入出力端子関係）、５ａａ…検査用ランドパターン（プルアップ端子関係）、５Ａ，５Ｂ，５Ｃ…配線部（入出力端子関係）、５ＡＡ…配線部（プルアップ端子関係）、６ａ，６ｂ，７ａ，７ｂ…検査用ランドパターン（電源端子関係）、６Ａ，６Ｂ，７Ａ，７Ｂ…電源リード部、８Ａ，８Ｂ，８Ｃ…配線引き出し部、１１，１２，１３，１４，１５…絶縁層（まとめて絶縁板）、２０…配線部（電源リード部、一般配線部、配線引き出し部）、２０ａ…検査用ランドパターン、２１…配線層（配線パターン）、２２…配線層（配線パターン）、２２ａ…ランドパターン、２３…配線層（配線パターン）、２４…配線層（配線パターン）、２５…配線層（配線パターン）、２６…配線層（配線パターン）、３１，３２，３４，３５…層間接続体（導電性組成物印刷による導電性バンプ）、３３…スルーホール導電体、４１，４２…電子部品、４１ａ，４２ａ…端子、４１ｂ，４２ｂ…内部回路、４１ｃ，４２ｃ…電子部品内部の保護または寄生のダイオード、４３…電気部品、４３ａ…端子、５１，５２，５３…はんだ、６１，６２…はんだレジスト、９１…ボンディングワイヤ。
【図１】
0005332247.tif 000002
【図２】
0005332247.tif 000003
【図３】
0005332247.tif 000004
【図４】
0005332247.tif 000005
【図５】
0005332247.tif 000006
【図６】
0005332247.tif 000007
【図７】
0005332247.tif 000008
【図８】
0005332247.tif 000009
【図９】
0005332247.tif 000010
【図１０】
0005332247.tif 000011
【図１１】
0005332247.tif 000012
【図１２】
0005332247.tif 000013